(57)【要約】【課題】作業効率の改善を図ることが可能なステップルを提供する。特に、天井付近の壁面や天井面のような作業環境の悪い場所でも作業効率が低下しないステップルを提供する。【解決手段】電線１を保持するステップル１０は、それぞれの先端２６，２６が針状に形成され略並列に形成された一対の針状部２２，２２及び一方の針状部２２の他端２４と他方の針状部２２の他端２４とを架橋する架橋部３２を有するコの字状に形成されたステップル本体２０を備える。ステップル１０は、一方の針状部２２と他方の針状部２２との間に電線１が配置されるように電線１を保持する電線保持部６０を備え、電線保持部６０はステップル本体２０に取り付けられている。【選択図】図１
2008017581.tif 000002
【特許請求の範囲】
【請求項１】
電線を保持するステップルであって、
それぞれの一端が針状に形成され略並列に形成された一対の針状部及び前記針状部の一方の他端と他方の他端とを架橋する架橋部を有するコの字状に形成されたステップル本体と、
前記針状部の一方と他方との間に前記電線が配置されるように前記電線を保持する電線保持部と、を備え、
前記電線保持部は前記ステップル本体に取り付けられたステップル。
【請求項２】
前記電線保持部は、前記電線が前記架橋部の内側面と接触するように前記電線と接触する第１の電線接触面を有し、かつ、前記第１の電線接触面と前記架橋部との間に前記電線を挟むことができるように、前記ステップル本体に取り付けられた請求項１記載のステップル。
【請求項３】
前記電線保持部は、前記第１の電線接触面が前記架橋部と平行になるように、前記針状部及び前記架橋部の少なくも一方に形成され、
前記第１の電線接触面と前記架橋部との間の寸法が前記電線の直径と同じ寸法である請求項２に記載のステップル。
【請求項４】
前記電線保持部は、前記針状部の一方及び他方に伸びる棒状又は板状の第１の部材を有し、
前記第１の部材は、弾性部材によって形成されており、かつ、前記針状部の互いに対向する内側面に対して摺動することができる一対の第１の摺動部を前記第１の部材の両端部に有する請求項１から３いずれか記載のステップル。
【請求項５】
前記電線保持部は、前記架橋部に対向する前記電線の対向面と接触する第２の電線接触面及び前記電線が第２の電線接触面と接触するように前記電線と接触する第３の電線接触面を有し、かつ、前記第２の電線接触面と前記第３の電線接触面との間に前記電線を挟み込むことができるように前記ステップル本体に取り付けられた請求項１記載のステップル。
【請求項６】
前記電線保持部は、前記針状部の一方及び他方に接続するように伸びる棒状又は板状の第２の部材及び第３の部材を有し、
前記第２の部材及び前記第３の部材は、弾性部材で形成されており、かつ、それぞれ、前記針状部の互いに対向する内側面に対して摺動することができる一対の第２の摺動部及び一対の第３の摺動部を前記第２の部材及び前記第３の部材の両端部に有する請求項５記載のステップル。
【請求項７】
前記第２の電線接触面は、前記第２の電線接触面が前記架橋部と平行になるように前記針状部及び前記架橋部の少なくとも一方に形成され、
前記第３の電線接触面は、前記第３の電線接触面が前記架橋部と平行になるように前記針状部及び前記架橋部の少なくとも一方に形成され、
前記第２の電線接触面と前記第３の電線接触面との間の寸法が前記電線の直径と同じ寸法である請求項５又は６記載のステップル。
【請求項８】
前記電線保持部は、前記針状部の一方及び他方に伸びる棒状又は板状の第４の部材と、棒状又は板状の第５の部材と、前記第４の部材の一端と前記第５の部材の一端とが接離するように前記第４の部材の他端と前記第５の部材の他端とを回転可能に支持するヒンジ部とを有し、
前記第４の部材は、前記針状部の一方が前記第４の部材の一端に摺動可能に貫通する第１の貫通孔と、前記針状部の他方が前記第４の部材の他端に摺動可能に貫通する第２の貫通孔とを有し、
前記第５の部材は、前記針状部の一方が前記第５の部材の一端に摺動可能に貫通することが可能な第３の貫通孔と、前記針状部の他方が前記第５の部材の他端に摺動可能に貫通することが可能な第４の貫通孔とを有し、
前記第３の貫通孔と前記第４の貫通孔との距離が前記針状部の一方と他方との間の距離と略同一の距離である請求項５記載のステップル。
【請求項９】
前記ステップル本体は、前記電線に対向する前記架橋部の内側面と反対側の外側面に相対的移動不能に固定された矩形状の板状部材を有し、
前記針状部が前記板状部材の表面に直交する請求項１から８いずれか記載のステップル。
【発明の詳細な説明】
【技術分野】
【０００１】
本発明は、壁面や天井面等に電線を保持するステップルに関する。
【背景技術】
【０００２】
図１５に示すように、従来、壁９１０の表面である壁面９１２にＶＶＦ線のような電線８０１を保持する道具として、コの字状に形成されたステップル８１０がよく知られている。図１６に示すように、ステップル８１０は、それぞれの一端８２６が針状に形成され略並列に形成された一対の針状部８２２，８２２を有する。ステップル８１０は、一方の針状部８２２の他端８２４と他方の針状部８２２の他端８２４とを架橋する架橋部８２８を有する。
【０００３】
図１５及び図１６を用いて、作業者が電線８０１を壁９１０に取り付ける手順について説明する。まず、作業者は、ステップル８１０の一方の針状部８２２と他方の針状部８２２との間に電線８０１を挟み込む。作業者は、電線８０１が挟み込まれた状態を維持するように、針状部８２２と電線８０１とを一方の手の指で摘み、針状部８２２が針状部８２２の伸びる方向に対して壁面９１２と直交するように、針状部８２２，８２２の一端８２６，８２６を壁面９１２に当接させる。作業者は、他方の手に把持したハンマ９２０で架橋部８２８の外側面８３０を数回叩打する。これにより、ステップル８１０の針状部８２２，８２２は壁９１０に徐々に打ち込まれる。作業者は、電線８０１が壁９１０と架橋部８２８との間に移動不能な状態に挟まれたとき、叩打を終了する。以上の作業によって、電線８０１は壁９１０に保持される。
【０００４】
しかし、ステップル８１０は小さいので、作業者は、ステップル８１０と電線８０１とを同時に摘みにくい（持ちにくい）。このため、ステップル８１０の姿勢は不安定となり、ステップル８１０を叩打したときの架橋部８２８に加えられる力のバランスが左右で異なる可能性が高く、さらには、壁面９１２に直交しない状態で叩打される可能性が高い。架橋部８２８に加えられる力のバランスが左右で異なってステップル８１０が叩打された場合は、電線８０１ばかりでなく壁９１０も損傷する。また、ステップル８１０が壁面９１２に直交しない状態でステップル８１０が叩打された場合は、壁９１０に打ち込まれたステップル８１０に傾きが生じ、美観を損ねる。
【０００５】
特に、天井付近の壁面や天井面のような作業環境の悪い場所における、ステップル８１０を壁面９１２に叩打する叩打作業は作業者が無理な体勢を取って行われるため、作業者がステップル８１０と電線８０１とをより一層同時に摘みにくくなる。その結果、作業後の電線が所望の位置から外れた位置に配置された状態になりやすい。電線の配置状態によっては、叩打作業のやり直しが必要になる。
【０００６】
このため、作業者は、ステップル８１０を叩打する際に、慎重を期する必要がある。しかし、その結果として作業効率は低下する。
【０００７】
上記のような作業効率の低下を改善するために、特許文献１では、保護カバー及びこの保護カバーと一体的に設けられた蓋状部を備えたステップルが開示されている。特許文献２では、ステップルを打ち込むためのジグが開示されている。
【特許文献１】特開平８−３１７５３７号公報
【特許文献２】特開平８−３０９６７６号公報
【発明の開示】
【発明が解決しようとする課題】
【０００８】
しかしながら、特許文献１に開示された発明の場合、作業者は、電線がステップルで強固に保持される前に、蓋状部を被せたステップルを指で押さえて、又は、保護カバーを指で摘んでステップルを叩打して、壁面にステップルを仮固定する必要がある。したがって、壁面に固定するステップルの位置を前もって決定することが可能ではあるが、仮固定を必要とすることから作業効率が改善されない。
【０００９】
また、特許文献２に開示された発明では、片手にジグを持って作業を行う必要がある。したがって、壁面に対してステップルを真っ直ぐに打ち込むことが可能であり、施工後の美観は改善されるが、片手にジグを持って作業を行うため、この場合も作業効率は改善されない。
【００１０】
特に、例えば、天井付近の壁面や天井面のように作業環境が悪い場所においては、仮固定作業や片手にジグを持って行う作業は、より作業効率を悪化させる。
【００１１】
本発明は、上述した課題に鑑みてなされたものであり、作業効率の改善を図ることが可能なステップルを提供することを目的とする。特に、天井付近の壁面や天井面のような作業環境の悪い場所でも作業効率が低下しないステップルを提供することを目的とする。
【課題を解決するための手段】
【００１２】
具体的には、本発明は以下のものを提供する。
【００１３】
（１）  電線を保持するステップルであって、それぞれの一端が針状に形成され略並列に形成された一対の針状部及び前記針状部の一方の他端と他方の他端とを架橋する架橋部を有するコの字状に形成されたステップル本体と、前記針状部の一方と他方との間に前記電線が配置されるように前記電線を保持する電線保持部と、を備え、前記電線保持部は前記ステップル本体に取り付けられたステップル。
【００１４】
（１）の発明によれば、電線は一対の針状部の一方と他方との間に配置されるように電線保持部に保持される。したがって、作業者は電線とステップルとを同時に持たずに電線を保持する作業を行うことができ、ステップルを叩打する際にも必要以上に慎重になる必要がない。この結果、電線を保持する作業の効率を改善することが可能である。
【００１５】
（２）  前記電線保持部は、前記電線が前記架橋部の内側面と接触するように前記電線と接触する第１の電線接触面を有し、かつ、前記第１の電線接触面と前記架橋部との間に前記電線を挟むことができるように、前記ステップル本体に取り付けられた（１）記載のステップル。
【００１６】
（２）の発明に係るステップルの電線保持部は、電線が架橋部の内側面と接触するように電線と接触する第１の電線接触面を有する。さらに、電線保持部は、この第１の電線接触面と架橋部との間に電線を挟むことができるように、ステップル本体に取り付けられている。したがって、作業者が第１の電線接触面と架橋部との間に電線を挟み込むことにより、電線は第１の電線接触面と架橋部との間に保持される。このため、作業者は、電線とステップルを同時に持たずに電線を保持する作業を行うことができ、ステップルを叩打する際にも必要以上に慎重になる必要がない。この結果、電線を保持する作業の効率を改善することが可能である。
【００１７】
（３）  前記電線保持部は、前記第１の電線接触面が前記架橋部と平行になるように、前記針状部及び前記架橋部の少なくも一方に形成され、前記第１の電線接触面と前記架橋部との間の寸法が前記電線の直径と同じ寸法である（２）記載のステップル。
【００１８】
（３）の発明によれば、第１の電線接触面が架橋部と平行になるように、一対の針状部及び架橋部の少なくも一方に形成され、第１の電線接触面と架橋部との間の寸法が電線の直径と同じ寸法となっている。したがって、電線は第１の電線接触面と架橋部との間に固定される。このため、作業者は、架橋部と第１の電線接触面との間に電線を挟み込むことにより、電線とステップルを同時に持たずに電線を保持する作業を行うことができ、ステップルを叩打する際にも必要以上に慎重になる必要がない。その結果、電線を保持する作業の効率をより改善することが可能である。
【００１９】
また、前記電線保持部は、前記第１の電線接触面及びこの近傍を形成する緩衝部材を有するようにしてもよい。そのようにすれば、電線が接触する第１の電線接触面及びこの近傍が緩衝部材で形成されているので、架橋部と第１の電線接触面との間に挟み込まれた電線を損傷から防止することが可能である。
【００２０】
（４）  前記電線保持部は、前記針状部の一方及び他方に伸びる棒状又は板状の第１の部材を有し、前記第１の部材は、弾性部材によって形成されており、かつ、前記針状部の互いに対向する内側面に対して摺動することができる一対の第１の摺動部を前記第１の部材の両端部に有する（１）から（３）いずれか記載のステップル。
【００２１】
（４）の発明によれば、第１の部材は、一対の針状部の一方及び他方に伸びる棒状又は板状の弾性部材であり、第１の部材の両端部には一対の針状部の互いに対向する内側面に対して摺動可能な一対の第１の摺動部を有する。したがって、作業者は、架橋部と第１の部材との間に電線を挟み込み、電線に接触する状態まで第１の部材を摺動させることにより、架橋部と第１の部材との間に電線を固定させることが可能である。このため、作業者は、電線とステップルとを同時に持たずに電線を保持する作業を行うことができ、ステップルを叩打する際にも必要以上に慎重になる必要がない。その結果、電線を保持する作業の効率をより改善することが可能である。
【００２２】
また、前記架橋部は、前記電線が接触する位置及びこの近傍を形成する緩衝部材を有するようにしてもよい。そのようにすれば、電線が接触する架橋部及びこの近傍が緩衝部材で形成されているので、架橋部と第１の電線接触面との間に挟み込まれた電線を損傷から防止することが可能である。
【００２３】
（５）  前記電線保持部は、前記架橋部に対向する前記電線の対向面と接触する第２の電線接触面及び前記電線が第２の電線接触面と接触するように前記電線と接触する第３の電線接触面を有し、かつ、前記第２の電線接触面と前記第３の電線接触面との間に前記電線を挟み込むことができるように前記ステップル本体に取り付けられた（１）記載のステップル。
【００２４】
（５）の発明によれば、電線保持部は、架橋部に対向する電線の対向面と接触する第２の電線接触面及び電線が第２の電線接触面と接触するように電線と接触する第３の電線接触面を有する。さらに、電線保持部は、第２の電線接触面と第３の電線接触面との間に電線を挟み込むことができるようにステップル本体に取り付けられている。したがって、作業者が第２の電線接触面と第３の電線接触面との間に電線を挟み込むことにより、電線は第２の電線接触面と第３の電線接触面との間に保持される。このため、作業者は、電線とステップルとを同時に持たずに電線を保持する作業を行うことができ、ステップルを叩打する際にも必要以上に慎重になる必要がない。この結果、電線を保持する作業の効率を改善することが可能である。
【００２５】
（６）  前記電線保持部は、前記針状部の一方及び他方に接続するように伸びる棒状又は板状の第２の部材及び第３の部材を有し、前記第２の部材及び前記第３の部材は、弾性部材で形成されており、かつ、それぞれ、前記針状部の互いに対向する内側面に対して摺動することができる一対の第２の摺動部及び一対の第３の摺動部を前記第２の部材及び前記第３の部材の両端部に有する（５）記載のステップル。
【００２６】
（６）の発明によれば、第２の部材及び第３の部材は、一対の針状部の一方及び他方に伸びる棒状又は板状の弾性部材である。また、第２の部材は第２の部材の両端部に一対の針状部の互いに対向する内側面に対して摺動可能な一対の第２の摺動部を有し、第３の部材は第３の部材の両端部に一対の針状部の互いに対向する内側面に対して摺動可能な一対の第３の摺動部を有する。したがって、作業者は、架橋部に当接するように第２の部材を摺動させ、第２の部材と第３の部材との間に電線を挟み込み、電線に接触する状態まで第３の部材を摺動させることにより、第２の部材と第３の部材との間に電線を固定させることが可能である。このため、作業者は、電線とステップルとを同時に持たずに電線を保持する作業を行うことができ、ステップルを叩打する際にも必要以上に慎重になる必要がない。その結果、電線を保持する作業の効率をより改善することが可能である。
【００２７】
（７）  前記第２の電線接触面は、前記第２の電線接触面が前記架橋部と平行になるように前記針状部及び前記架橋部の少なくとも一方に形成され、前記第３の電線接触面は、前記第３の電線接触面が前記架橋部と平行になるように前記針状部及び前記架橋部の少なくとも一方に形成され、前記第２の電線接触面と前記第３の電線接触面との間の寸法が前記電線の直径と同じ寸法である（５）又は（６）記載のステップル。
【００２８】
（７）の発明によれば、第２の電線接触面が架橋部と平行になるように針状部及び架橋部の少なくとも一方に形成され、第３の電線接触面は、第３の電線接触面が架橋部と平行になるように針状部及び架橋部の少なくとも一方に形成される。また、第２の電線接触面と第３の電線接触面との間の寸法が電線の直径と同じ寸法である。したがって、電線は第２の電線接触面と第３の電線接触面との間に固定される。このため、作業者は、第２の電線接触面と第３の電線接触面との間に電線を挟み込むことにより、電線とステップルとを同時に持たずに電線を保持する作業を行うことができ、ステップルを叩打する際にも必要以上に慎重になる必要がない。この結果、電線を保持する作業の効率をより改善することが可能である。
【００２９】
（８）  前記電線保持部は、前記針状部の一方及び他方に伸びる棒状又は板状の第４の部材と、棒状又は板状の第５の部材と、前記第４の部材の一端と前記第５の部材の一端とが接離するように前記第４の部材の他端と前記第５の部材の他端とを回転可能に支持するヒンジ部とを有し、前記第４の部材は、前記針状部の一方が前記第４の部材の一端に摺動可能に貫通する第１の貫通孔と、前記針状部の他方が前記第４の部材の他端に摺動可能に貫通する第２の貫通孔とを有し、前記第５の部材は、前記針状部の一方が前記第５の部材の一端に摺動可能に貫通することが可能な第３の貫通孔と、前記針状部の他方が前記第５の部材の他端に摺動可能に貫通することが可能な第４の貫通孔とを有し、前記第３の貫通孔と前記第４の貫通孔との距離が前記針状部の一方と他方との間の距離と略同一の距離である（５）記載のステップル。
【００３０】
（８）の発明によれば、電線保持部は、第４の部材と、第５の部材と、第４の部材の一端と第５の部材の一端とが接離するように第４の部材の他端と第５の部材の他端とを回転可能に支持するヒンジ部と、を有する。第４の部材は、一対の針状部の一方に貫通している第１の貫通孔と、一対の針状部の他方に貫通している第２の貫通孔と、を有する。第５の部材は、一対の針状部の一方に貫通することが可能な第３の貫通孔と、一対の針状部の他方に摺動可能に貫通することが可能な第４の貫通孔を有し、第３の貫通孔と第４の貫通孔との距離は一対の針状部のうちの一方の針状部と他方の針状部との間の距離と略同一である。したがって、作業者は、第４の部材と第５の部材との間に電線を挟み込み、第３の貫通孔を一対の針状部の一方に貫通させ、第４の貫通孔を一対の針状部の他方に貫通させ、第４の部材と第５の部材とを針状部の一端から他端への方向に移動させることで、第４の部材と第５の部材とが互いに離反させないようにすることが可能となる。このため、第４の部材と第５の部材との間に電線を固定させることが可能となるので、作業者は、電線とステップルを同時に持たずに電線を保持する作業を行うことができ、ステップルを叩打する際にも必要以上に慎重になる必要がない。この結果、電線を保持する作業の効率をより改善することが可能である。
【００３１】
また、前記ステップル本体は、前記電線に対向する前記第５の部材の内側面と反対側の外側面に粘着部を有するようにしてもよい。そのようにすれば、ステップル本体は、電線に対向する第５の部材の内側面と反対側の外側面に粘着部を有する。したがって、作業者は、ステップルを用いて電線を保持する面、例えば、壁面や天井面に粘着部を当接することにより、ステップルを壁面や天井面に仮固定することができる。このため、作業者は、電線又はステップルのいずれも持たずに、又は、電線又はステップルを軽く手で添えるだけで作業を行うことができる。この結果、電線を保持する作業の効率をより一層改善することが可能である。さらに、ステップル本体は、電線保持部が針状部から抜けないようにするための構成を有してもよい。
【００３２】
また、前記電線保持部は、前記第２の電線接触面及びこの近傍を形成する緩衝部材を有するようにしてもよい。そのようにすれば、電線が接触する第２の電線接触面及びこの近傍が緩衝部材で形成されているので、第２の電線接触面と第３の電線接触面との間に挟み込まれた電線を損傷から防止することが可能である。したがって、ステップルを叩打する際にも必要以上に慎重になる必要がなく、電線を保持する作業の効率をより改善することが可能である。
【００３３】
また、前記電線保持部は、前記第３の電線接触面及びこの近傍を形成する緩衝部材を有するようにしてもよい。そのようにすれば、電線が接触する第３の電線接触面及びこの近傍が緩衝部材で形成されているので、第２の電線接触面と第３の電線接触面との間に挟み込まれた電線を損傷から防止することが可能である。したがって、ステップルを叩打する際にも必要以上に慎重になる必要がなく、電線を保持する作業の効率をより改善することが可能である。
【００３４】
（９）  前記ステップル本体は、前記電線に対向する前記架橋部の内側面と反対側の外側面に相対的移動不能に固定された矩形状の板状部材を有し、前記針状部が前記板状部材の表面に直交する（１）から（８）いずれか記載のステップル。
【００３５】
（９）の発明によれば、ステップル本体は、電線に対向する架橋部の内側面とは反対側の外側面に相対的移動不能に固定された矩形状の板状部材を有し、針状部が板状部材の表面に直交している。板状部材は板状になっているため、叩打する部分がある程度の面積を有している。したがって、作業者は、従来の架橋部より板状部材を叩打しやすい。換言すると、従来に比べてステップルを打ち損じる事態、例えば、打ち込まれたステップルに傾きが発生するような事態を防止することが可能となる。このため、ステップルを叩打する際にも必要以上に慎重になる必要がなく、電線を保持する作業の効率をより改善することが可能である。
【発明の効果】
【００３６】
本発明によれば、電線は一対の針状部の一方と他方との間に配置されるように電線保持部に保持される。したがって、作業者は電線とステップルとを同時に持たずに電線を保持する作業を行うことができ、ステップルを叩打する際にも必要以上に慎重になる必要がない。その結果、電線を保持する作業の効率を改善することが可能である。
【発明を実施するための最良の形態】
【００３７】
以下、本発明に係る実施形態の一例について、添付した図面を参照しながら、具体的に説明する。
【００３８】
［第１実施形態］
図１及び図２を参照して、本発明の第１実施形態に係るステップル１０について説明する。図１はステップル１０の正面図である。図２は、ステップル１０の斜視図である。なお、本実施形態以降の説明では、同じ部材の場合は同じ符号を付すとともに、既に説明した部材の説明は省略するものとする。
【００３９】
図１及び図２に示すように、ステップル１０は、ステップル本体２０と、電線保持部６０とを備える。
【００４０】
ステップル本体２０は、一対の針状部２２，２２と、架橋部３２とを有する。さらに、ステップル本体２０は、矩形状の板状部材４０を有するようにしてもよい。
【００４１】
一方の針状部２２の先端２６及び他方の針状部２２の先端２６は、針状に形成されている。
【００４２】
架橋部３２は、一方の針状部２２と他方の針状部２２とが略並列に形成されるように、一方の針状部２２の他端２４と他方の針状部２２の他端２４とを架橋する。したがって、ステップル本体２０は、一対の針状部２２，２２と架橋部３２とによってコの字状に形成されている。
【００４３】
架橋部３２は、電線１が接触する電線接触面３３及び電線接触面３３の近傍を形成する緩衝部材３８を有していてもよい。本実施形態において、架橋部３２は、後述する板状部材４０の矩形状の背面全体と当接可能なように、板状部材４０と当接する面が矩形状の平面を有するようにしてもよい。
【００４４】
板状部材４０は、電線１の一部に接触する架橋部３２の内側面３４と反対側の外側面３６に相対的移動不能に、かつ、板状部材４０の上面（表面）４２が針状部２２の伸びる方向と直交するように、固定されている。
【００４５】
電線保持部６０は、電線１が一方の針状部２２と他方の針状部２２との間に配置されるように、電線１を保持する。電線保持部６０はステップル本体２０に取り外し可能に取り付けられている。
【００４６】
具体的には、電線保持部６０は、電線１が内側面３４と接触するように、電線１と接触する電線接触面６４を有する電線保持部材６２を備える。電線接触面６４は第１の電線接触面として作用する。また、電線保持部６０は、電線１が接触する電線接触面６４及び電線接触面６４の近傍を形成する緩衝部材６６を有する。緩衝部材６６は、ゴムのような既知の緩衝作用を有する物質で構成される。
【００４７】
電線保持部材６２は、電線保持部材６２の両端部６８，６８が一方の針状部２２及び他方の針状部２２に接続するように、架橋部３２と平行に伸びる棒状の部材である。電線保持部材６２は、電線接触面６４と架橋部３２との間に電線１を挟むことができるように、ステップル本体２０に取り付けられている。
【００４８】
換言すれば、電線保持部材６２の両端部６８，６８は一対の針状部２２，２２の内側面２８，２８と接続する。
【００４９】
さらに、電線保持部材６２は、電線接触面６４を有する電線保持部材６２が架橋部３２と平行になるように、針状部２２に形成されている。この場合、電線接触面６４と架橋部３２との間の寸法Ｌが電線１の直径と同じ寸法となる。
【００５０】
以上のステップル１０は以下に示す手順で使用される。
【００５１】
作業者は、電線１を架橋部３２と電線保持部６０との間に挟む。これにより、電線１は、ステップル１０の一方の針状部２２と他方の針状部２２との間に配置されるように保持される。
【００５２】
次に、作業者は、針状部２２又は電線１を一方の手の指で摘み、針状部２２が針状部２２の伸びる方向に対して壁面と直交するように、針状部２２，２２の先端２６，２６を壁面に当接させる。このとき、電線保持部６０は、電線１とステップル本体２０とが離れないように、電線１を保持しているから、作業者は、ステップル１０を打ち付ける位置や向きが適切になるように、ステップル本体２０の位置を調節することに専念することができる。
【００５３】
作業者は、他方の手に把持したハンマ９２０で板状部材４０を数回叩打する。これにより、ステップル１０の針状部２２，２２は壁９１０に徐々に打ち込まれる。このときも、電線１は、電線保持部６０によってステップル本体２０に保持されているため、作業者は、板状部材４０をハンマ９２０で叩打する作業に専念することができる。つまり、ステップル１０を叩打する際にも必要以上に慎重になる必要がない。この結果、電線１を保持する作業の効率が改善する。
【００５４】
また、板状部材４０は板状になっているため、叩打する部分が従来のステップルの架橋部より広い面積を有している。したがって、作業者は、従来の架橋部より板状部材を叩打しやすい。換言すると、従来に比べてステップルを打ち損じる事態、例えば、打ち込まれたステップルに傾きが発生するような事態を防止することが可能となる。
【００５５】
作業者は、電線１が壁９１０と架橋部３２との間に移動不能な状態に挟まれたとき、叩打を終了する。このとき、電線１は、電線１が接触する電線接触面３３及び電線接触面３３の近傍を形成する緩衝部材３８と、電線１が接触する電線接触面６４及び電線接触面６４の近傍を形成する緩衝部材６６とによって挟まれる。つまり、架橋部３２と電線１との間、及び、電線保持部材６２と電線１との間には、それぞれ、緩衝部材３８及び緩衝部材６６が配置されているため、挟み込まれた電線１は殆ど損傷しない。
【００５６】
以上の作業によって、電線１はステップル１０によって壁９１０に保持される。
【００５７】
なお、電線保持部材６２は、棒状以外にも板状、さらには、直方体状、円筒状等であってもよい。以下、「電線保持部材」という名称の部材は、棒状以外にも板状、さらには、直方体状、円筒状等であってもよい。
【００５８】
［第２実施形態］
図３を参照して、本発明に係る第２実施形態に係るステップル１０Ａについて説明する。図３はステップル１０Ａの正面図である。
【００５９】
ステップル１０Ａは、ステップル１０の電線保持部６０の替わりに、電線保持部６０Ａを備えている。電線保持部６０Ａは、電線保持部材６２Ａと電線保持部材６２Ａの両端部６８，６８から垂直方向に伸びる一対の保持部材線７０，７０を有する。具体的には、電線保持部材６２Ａは、保持部材線７０，７０によってステップル本体２０の架橋部３２に取り付けられている。保持部材線７０，７０は、保持部材線７０，７０と電線保持部材６２Ａとが直交するように、電線保持部材６２Ａの両端部６８，６８と架橋部３２の内側面３４とを接続している。
【００６０】
なお、電線保持部材６２Ａは、一方の針状部２２及び他方の針状部２２に伸びる部材であるが、電線１を保持可能な電線接触面６４を有する部材であれば、図３に示すように、一方の針状部２２及び他方の針状部２２に伸びる部材でなくてもよい。
【００６１】
電線保持部６０Ａの電線保持部材６２Ａは架橋部３２に形成されているとしたが、電線保持部材６２は針状部２２及び架橋部３２に形成されていればよい。
【００６２】
［第３実施形態］
図４及び図５を参照して、本発明に係る第３実施形態に係るステップル１０Ｂについて説明する。図４はステップル１０Ｂの正面図である。図５は、ステップル１０Ｂの斜視図である。
【００６３】
図４及び図５に示すように、ステップル１０Ｂは、図１及び図２に示す電線保持部材６２を有する電線保持部６０に替えて、板状の電線保持部材６２Ｂを有する電線保持部６０Ｂを備える。電線保持部材６２Ｂは第１の部材として作用する。電線保持部材６２Ｂは、図１及び図２に示す電線保持部材６２と略同じ構造であるが、以下の点で電線保持部材６２と異なっている。
【００６４】
電線保持部材６２Ｂは、電線保持部材６２Ｂの伸びる方向において相反する方向に作用する力を有するゴム、合成樹脂等の素材、鉄製のスプリング（ばね）等の弾性部材によって形成されている。
【００６５】
電線保持部６０Ｂは、電線保持部材６２Ｂの両端部１６４，１６４に、それぞれ、一対の摺動部１６６，１６６を有する。摺動部１６６は、針状部２２の直径とほぼ同じ直径を底面とする円柱側面の一部と同じ形状の内周面を有している。
【００６６】
電線保持部６０Ｂは、電線保持部材６２Ｂが若干圧縮された状態になるように、かつ、摺動部１６６及び１６６がそれぞれ針状部２２及び２２の内側面２８及び２８に摺動可能な状態になるように、一方の針状部２２の内側面２８と他方の針状部２２の内側面２８との間に配置されている。つまり、電線保持部６０Ｂは、電線保持部材６２Ｂの弾性復元力によって、一対の針状部２２，２２の間に取り外し可能に取り付けられている。したがって、電線保持部６０Ｂは、一対の摺動部１６６及び１６６は、それぞれ、一対の針状部２２及び２２の互いに対向する一対の内側面２８及び２８に対して針状部２２が伸びる方向に摺動することができる。
【００６７】
次に、作業者がステップル１０Ｂを用いて電線１を保持する作業を具体的に説明する。
【００６８】
まず、作業者は、電線保持部６０Ｂをステップル本体２０から取り外す。
【００６９】
次に、作業者は、電線１の側面が架橋部３２の内側面３４に接触するように、電線１を一対の針状部２２，２２の間に配置させる。
【００７０】
そして、作業者は、電線保持部６０Ｂをステップル本体２０に取り付ける。これにより、電線１は、架橋部３２の内側面３４と一対の針状部２２，２２の内側面２８，２８と電線接触面６４とによって保持される。
【００７１】
［第４実施形態］
図６を参照して、本発明に係る第６実施形態に係るステップル１０Ｃについて説明する。図６はステップル１０Ｃの正面図である。
【００７２】
ステップル１０Ｃは、図４及び図５に示す電線保持部材６２Ｂを有する電線保持部６０Ｂに替えて、板状の電線保持部材６２Ｃと電線保持部材６２Ｃの両端部１６４，１６４に一体的に形成された電線接触部１７１，１７１とを有する電線保持部６０Ｃを備える。電線保持部材６２Ｃは第１の部材として作用する。
【００７３】
電線保持部材６２Ｃの一方及び他方の端部１６４，１６４は、それぞれ、電線１の周囲を囲って電線１を保持する電線接触部１７１及び１７１を有する。電線接触部１７１及び１７１は、それぞれ、一方及び他方の針状部２２及び２２に対向する電線１の対向面２及び２と接触する電線接触面１７０及び１７０を有する。電線接触部１７１は、針状部２２の内側面２８に摺動する摺動部１６６Ｃを有する。電線接触部１７１は、電線１を保持することができるように、電線保持部材６２Ｃの側面から寸法Ｌだけ隆起している。
【００７４】
電線保持部６０Ｃは、一対の電線接触面１７０，１７０との間に電線１を挟み込むことができるように、ステップル本体２０、具体的には、一対の針状部２２，２２に取り付けられている。
【００７５】
［第５実施形態］
図７及び図８を用いて本発明に係る第５実施形態に係るステップル１０Ｄについて説明する。図７はステップル１０Ｄの正面図である。図８は、ステップル１０Ｄの斜視図である。
【００７６】
図７及び図８に示すように、ステップル１０Ｄは、図４及び図５に示す第３実施形態のステップル１０Ｂの一部と同じ構造を有するが、以下の部分でステップル１０Ｂと異なっている。すなわち、ステップル１０Ｄは、電線保持部材６２Ｂと電線保持部材２８２とを有する電線保持部６０Ｄを備える。電線保持部材２８２は第２の部材として作用する。ステップル１０Ｄの電線保持部材６２Ｂは、第２実施形態のステップル１０Ｂの電線保持部材６２Ｂと同じ構造を有し、第３の部材として作用する。また、電線保持部６０Ｄは、緩衝部材６６と、電線保持部材２８２に形成された緩衝部材２８８とを有する。
【００７７】
電線保持部材２８２は、電線保持部材６２Ｂと同様に、一方の針状部２２及び他方の針状部２２に伸びる板状の部材である。電線保持部材２８２は、架橋部３２Ｄに対向する電線１の対向面３と接触する電線接触面２８４を有する。電線接触面２８４は第２の電線接触面として作用する。
【００７８】
電線保持部材６２Ｂは、電線１が電線接触面２８４と接触するように電線１と接触する電線接触面６４を有する。電線接触面６４は第３の電線接触面として作用する。
【００７９】
電線保持部材２８２及び電線保持部材６２Ｂは、電線接触面２８４と電線接触面６４との間に電線１を挟み込むことができるようにステップル本体２０Ｄに取り付けられている。換言すれば、電線保持部材２８２の両端部２８５，２８５は針状部２２，２２の内側面２８，２８と接続する。
【００８０】
電線接触面２８４を有する電線保持部材２８２は、電線接触面６４を有する電線保持部材６２Ｂと同様に、架橋部３２Ｄと平行になるように、針状部２２に形成される。この場合、電線接触面２８４と電線接触面６４との間の寸法Ｌが電線１の直径と同じ寸法となる。
【００８１】
さらに、電線保持部材２８２は、電線保持部材６２Ｂと同様に、弾性部材によって形成されている。具体的には、ゴム、合成樹脂等の素材、鉄製のスプリング（ばね）等によって形成される。また、電線保持部材２８２は、一対の摺動部２８６，２８６を電線保持部材２８２の両端部２８５，２８５に有する。一対の摺動部２８６，２８６は、一対の針状部２２の互いに対向する内側面２８，２８に対して摺動することができる。
【００８２】
緩衝部材２８８は電線接触面２８４及びこの電線接触面２８４の近傍に形成されている。すなわち、電線保持部材２８２は緩衝部材２８８を有する。緩衝部材２８８は、ゴムのような既知の緩衝作用を有する物質で構成される。
【００８３】
［第６実施形態］
図９及び図１０を参照して、本発明に係る第６実施形態に係るステップル１０Ｅについて説明する。図９はステップル１０Ｅの正面図である。図１０は、ステップル１０Ｅの斜視図である。
【００８４】
ステップル１０Ｅは、ステップル１０Ｄの電線保持部材６２Ｂ及び電線保持部材２８２を有する電線保持部６０Ｄに替えて、板状の電線保持部材６２Ｅと、電線保持部材６２Ｅの両端部１６４，１６４に一体的に形成された電線接触部１７１Ｅ，１７１Ｅと、板状の電線保持部材２８２Ｅと、電線保持部材２８２Ｅの両端部２８５Ｅ，２８５Ｅに一体的に形成された電線接触部１７２，１７２と、を有する電線保持部６０Ｅを備える。
【００８５】
電線保持部材６２Ｅの一方及び他方の端部１６４，１６４は、それぞれ、電線１の周囲を囲って電線１を保持する電線接触部１７１Ｅ及び１７１Ｅを有する。電線接触部１７１Ｅ及び１７１Ｅは、それぞれ、一方及び他方の針状部２２及び２２に対向する電線１の対向面２及び２と接触する電線接触面１７０Ｅ及び１７０Ｅを有する。電線接触部１７１は、針状部２２の内側面２８に摺動する摺動部１６６を有する。
【００８６】
電線保持部材２８２Ｅの一方及び他方の端部２８５Ｅ及び２８５Ｅは、それぞれ、電線１の周囲を囲って電線１を保持する電線接触部１７２及び１７２を有する。電線接触部１７２及び１７２は、それぞれ、一方及び他方の針状部２２及び２２に対向する電線１の対向面２及び２と接触する電線接触面２９０及び２９０を有する。電線接触部１７２は、針状部２２の内側面２８に摺動する摺動部２８６を有する。
【００８７】
電線接触部１７１Ｅ及び電線接触部１７２が共同して電線１を保持することができるように、電線保持部材６２Ｅの側面から隆起した寸法及び電線保持部材２８２Ｅの側面から隆起した寸法の合計寸法は寸法Ｌと同じ寸法を有する。
【００８８】
電線保持部材６２Ｅ及び電線保持部材２８２Ｅは、一対の電線接触面１７０Ｅ，１７０Ｅ及び一対の電線接触面２９０，２９０との間に電線１を挟み込むことができるようにステップル本体２０に取り付けられている。
【００８９】
電線保持部６０Ｅは、図１及び図２に示す電線保持部６０の電線保持部材６２と同様に、一対の摺動部１６６，１６６を省略し、電線保持部材６２Ｅの両端部１６４，１６４と電線保持部材２８２Ｅの両端部２８５Ｅ，２８５Ｅとが一対の針状部２２，２２の内側面２８，２８に接続されるようにしてもよい。
【００９０】
［第７実施形態］
図１１から図１３を参照して本発明に係る第７実施形態に係るステップル１０Ｆについて説明する。図１１はステップル１０Ｆの正面図である。図１２はステップル１０Ｆの斜視図である。図１３はステップル１０Ｆを用いて電線１を保持する動作を説明するための説明図である。
【００９１】
図１１から図１３に示すように、ステップル１０Ｆは電線保持部６０Ｆ及びステップル本体２０Ｄを有する。電線保持部６０Ｆは、第１実施形態のステップル１０の電線保持部６０（図１及び図２参照）と同様に、一方の針状部２２と他方の針状部２２との間に電線１が配置されるように電線１を保持する。電線保持部６０Ｆは、ステップル本体２０Ｄに取り付けられている。
【００９２】
具体的には、電線保持部６０Ｆは、第３実施形態のステップル１０Ｄの電線保持部６０Ｄの電線保持部材２８２（図７及び図８参照）と同様に、架橋部３２Ｄに対向する電線１の対向面３と接触する電線接触面２８４を有する電線保持部材３８２を含む。電線保持部６０Ｆは、第３実施形態の電線保持部６０Ｄの電線保持部材６２Ｂ（図７及び図８参照）と同様に、電線１が電線接触面２８４と接触するように電線１と接触する電線接触面６４を有する電線保持部材３６２を含む。電線保持部６０Ｆは、第３実施形態の電線保持部６０Ｄと同様に、電線接触面２８４と電線接触面６４との間に電線１を挟み込むことができるようにステップル本体２０に取り付けられている。
【００９３】
また、電線保持部材３８２及び電線保持部材３６２は、第３実施形態の電線保持部材２８２及び電線保持部材６２Ｂと同様に、一対の針状部２２，２２のうちの一方の針状部２２及び他方の針状部２２に伸びる棒状の部材である。電線保持部材３８２及び電線保持部材３６２は、架橋部３２Ｄと平行になるように、針状部２２に形成され、電線接触面２８４と電線接触面６４との間の寸法Ｌが電線１の直径と同じ寸法となる。
【００９４】
一方、ステップル１０Ｆは、以下の点で第１実施形態のステップル１０及び第３実施形態のステップル１０Ｄと異なる。
【００９５】
すなわち、電線保持部材３８２は、一方の針状部２２が電線保持部材３８２の一端３８４に摺動可能に貫通する貫通孔３８６と、他方の針状部２２が電線保持部材３８２の他端３８８に摺動可能に貫通することが可能な貫通孔３９０と、を有する。電線保持部材３８２は第４の部材として作用し、貫通孔３８６及び貫通孔３９０は、それぞれ、第１の貫通孔及び第２の貫通孔として作用する。
【００９６】
電線保持部材３６２は、一方の針状部２２が電線保持部材３６２の一端３６４に摺動可能に貫通することが可能な貫通孔３６６と、他方の針状部２２が電線保持部材３６２の他端３６８に摺動可能に貫通することが可能な貫通孔３７０と、を有する。電線保持部材３６２は第５の部材として作用する。貫通孔３６６及び貫通孔３７０は、それぞれ、第３の貫通孔及び第４の貫通孔として作用する。
【００９７】
ここで、貫通孔３６６と貫通孔３７０との距離が一方の針状部２２と他方の針状部２２との間の距離と略同一の距離となる。
【００９８】
また、電線保持部６０Ｆはヒンジ部４０２を有する。ヒンジ部４０２は、電線保持部材３８２の他端３８８と電線保持部材３６２の他端３６８とが接離するように電線保持部材３８２の一端３８４と電線保持部材３６２の一端３６４とを回転可能に支持する。すなわち、ヒンジ部４０２は、電線保持部材３８２の他端３８８と電線保持部材３６２の他端３６８とが接離するように電線保持部材３８２と電線保持部材３６２とを回転可能に支持する。
【００９９】
さらに、ステップル本体２０は粘着部４１２を有する。粘着部４１２は、保持される電線１に対向する電線保持部材３８２の内側面３７４と反対側の外側面３９４に形成される。
【０１００】
なお、図１４に示すように、電線保持部材３８２及び電線保持部材３６２は、電線１の周囲を囲って電線１を保持するようにしてもよい。すなわち、電線保持部材３８２は一方の針状部２２に対向する電線１の対向面５と接触する電線接触面３９２と、他方の針状部２２に対向する電線１の対向面７と接触する電線接触面３９２と、を有する。
【０１０１】
また、電線保持部材３６２は一方の針状部２２に対向する電線１の対向面５と接触する電線接触面３７２と、他方の針状部２２に対向する電線１の対向面７と接触する電線接触面３７２と、を有する。電線保持部材３８２及び電線保持部材３６２は、一対の電線接触面３９２，３９２及び一対の電線接触面３７２，３７２との間に電線１を挟み込むことができるようにステップル本体に取り付けられている。
【０１０２】
次に、作業者がステップル１０Ｆを用いて電線１を保持する作業を具体的に説明する。
【０１０３】
図１３に示すように、作業者は、電線１を保持していない電線保持部６０Ｆによって、電線１を保持する。具体的には、電線保持部材３８２の他端３８８と電線保持部材３６２の他端３６８とが離反するようにヒンジ部４０２を回転可能に支持させ、電線保持部材３８２と電線保持部材３６２との間に電線１を挟み込み、電線保持部材３８２の他端３８８と電線保持部材３６２の他端３６８とが近接するようにヒンジ部４０２を回転可能に支持させる。
【０１０４】
次に、作業者は、電線１を保持した電線保持部６０Ｆを、針状部２２の先端２６から他端２４への方向に移動させて、電線保持部６０Ｆを架橋部３２Ｄの内側面３４に当接させる（図１１及び図１２参照）。電線保持部６０Ｆの電線保持部材３６２と電線保持部材３８２との間に電線１を挟み込ませる。電線保持部材３６２と電線保持部材３８２とは一対の針状部２２，２２に固定され、ヒンジ部４０２は、回転不可能な状態で支持される。
【０１０５】
本発明によれば、電線は一対の針状部の一方と他方との間に配置されるように電線保持部に保持される。したがって、作業者は電線とステップルとを同時に持たずに電線を保持する作業を行うことができ、ステップルを叩打する際にも必要以上に慎重になる必要がない。その結果、電線を保持する作業の効率を改善することが可能である。
【図面の簡単な説明】
【０１０６】
【図１】本発明の第１実施形態に係るステップル１０の正面図である。
【図２】ステップル１０の斜視図である。
【図３】ステップル１０の変形例であるステップル１０Ａを示す正面図である。
【図４】本発明の第２実施形態に係るステップル１０Ｂの正面図である。
【図５】ステップル１０Ｂの斜視図である。
【図６】ステップル１０Ｂの変形例であるステップル１０Ｃを示す正面図である。
【図７】本発明の第３実施形態に係るステップル１０Ｄの正面図である。
【図８】ステップル１０Ｄの斜視図である。
【図９】ステップル１０Ｄの変形例であるステップル１０Ｅを示す正面図である。
【図１０】ステップル１０Ｄの変形例であるステップル１０Ｅを示す斜視図である。
【図１１】本発明の第７実施形態に係るステップル１０Ｆの正面図である。
【図１２】ステップル１０Ｆの斜視図である。
【図１３】ステップル１０Ｆを用いて電線１を保持する動作を説明するための説明図である。
【図１４】ステップル１０Ｆの変形例を示す斜視図である。
【図１５】ステップル８１０を用いて、電線１を壁面に保持する作業を説明するための図である。
【図１６】従来のステップル８１０の正面図である。
【符号の説明】
【０１０７】
２，３，５，７    対向面
１０，１０Ａ〜１０Ｆ    ステップル
２０，２０Ｄ    ステップル本体
２２    針状部
２４，３６８，３８８    他端
２８，３４，３７４    内側面
３２，３２Ｄ    架橋部
３３，６４，１７０，１７０Ｅ，２８４，２９０，３７２，３９２    電線接触面
３６，３９４    外側面
３８，６６，２８８    緩衝部材
４０    板状部材
６０，６０Ａ〜６０Ｆ    電線保持部
６２，６２Ａ〜６２Ｃ，２６２，２８２，２８２Ｅ，３６２，３８２    電線保持部材
６８，１６４，２８５，２８５Ｅ    端部
７０    保持部材線
１６６，１６６Ｃ，２８６    摺動部
３６４，３８４    一端
３６６，３７０，３８６，３９０    貫通孔
４０２    ヒンジ部
４１２    粘着部
【図１】
2008017581.tif 000003
【図２】
2008017581.tif 000004
【図３】
2008017581.tif 000005
【図４】
2008017581.tif 000006
【図５】
2008017581.tif 000007
【図６】
2008017581.tif 000008
【図７】
2008017581.tif 000009
【図８】
2008017581.tif 000010
【図９】
2008017581.tif 000011
【図１０】
2008017581.tif 000012
【図１１】
2008017581.tif 000013
【図１２】
2008017581.tif 000014
【図１３】
2008017581.tif 000015
【図１４】
2008017581.tif 000016
【図１５】
2008017581.tif 000017
【図１６】
2008017581.tif 000018